(57)【要約】【課題】ユーザの快適性の低下を抑制するヒートポンプ装置を提供する。【解決手段】ヒートポンプ装置は、圧縮機、利用側熱交換器、膨張機構、及び熱源側熱交換器を備える冷媒回路と、熱源側熱交換器に空気を供給する熱源側ファンと、冷媒回路及び熱源側ファンを制御する制御装置とを備える。制御装置は、熱源側ファンによる除霜運転を行う時間的余裕があるか否かを判定する判定部を有する。制御装置は、室外温度（Ｔ２）が基準温度（Ｔｓ）以上である場合（ステップＳ１）、かつ、判定部が時間的余裕があると判定した場合に、圧縮機を停止した状態で熱源側ファンを回転させて除霜運転を行うように、冷媒回路及び熱源側ファンを制御する（ステップＳ４）。【選択図】図３
2020085317.tif 000002
【特許請求の範囲】
【請求項１】
圧縮機（１１，１１１）、利用側熱交換器（２１，１２２）、膨張機構（１４，１１４）、及び熱源側熱交換器（１３，１１３）を備える冷媒回路と、
上記熱源側熱交換器（１３，１１３）に空気を供給する熱源側ファン（１６，１１６）と、
上記冷媒回路及び上記熱源側ファン（１６，１１６）を制御する制御装置（３０，１３０）と
を備え、
上記制御装置（３０，１３０）は、上記熱源側ファン（１６，１１６）による除霜運転を行う時間的余裕があるか否かを判定する判定部（３０ａ，１３０ａ）を有し、
上記制御装置（３０，１３０）は、室外温度（Ｔ２）が基準温度（Ｔｓ）以上である場合、かつ、上記判定部（３０ａ，１３０ａ）が上記時間的余裕があると判定した場合に、上記圧縮機（１１，１１１）を停止した状態で上記熱源側ファン（１６，１１６）を回転させて上記除霜運転を行うように、上記冷媒回路及び上記熱源側ファン（１６，１１６）を制御することを特徴とする、ヒートポンプ装置。
【請求項２】
請求項１に記載のヒートポンプ装置と、
現在時刻（ｔ）を取得又は生成する時計部（３０ｂ）と、
開始時刻（ｔｓ）に上記ヒートポンプ装置の運転を開始するように予約するための予約部（３０ｃ）と
を備え、
上記判定部（３０ａ）は、上記予約部（３０ｃ）によって上記ヒートポンプ装置の運転が予約されており、上記現在時刻（ｔ）と上記開始時刻（ｔｓ）との差が所定時間（ｔｒ）以上である場合に上記時間的余裕があると判定することを特徴とする、空気調和機（１）。
【請求項３】
請求項１に記載のヒートポンプ装置と、
室内温度を検知する室内温度検出部（２３）と
を備え、
上記判定部（３０ａ）は、空調運転中に上記圧縮機（１１）が停止したサーモオフ状態のとき、上記時間的余裕があると判定することを特徴とする、空気調和機（１）。
【請求項４】
請求項１に記載のヒートポンプ装置と、
現在時刻（ｔ）を取得又は生成する時計部（１３０ｂ）と
を備え、
上記判定部（１３０ａ）は、上記時計部（１３０ｂ）によって取得又は生成された上記現在時刻（ｔ）が夜間時間帯である場合に、上記時間的余裕があると判定することを特徴とする、温水ユニット（１００）。
【請求項５】
請求項１に記載のヒートポンプ装置と、
上記利用側熱交換器（１２２）によって加熱された温水を貯留する貯湯タンク（１２１）と、
上記貯湯タンク（１２１）内の貯湯量を検出する貯湯量検出部（１２４）と
を備え、
上記判定部（１３０ａ）は、上記貯湯量検出部（１２４）によって検出された貯湯量（Ａ）が、予め設定された湯切れ判定貯湯量（Ａｓ）よりも多い場合に、上記時間的余裕があると判定することを特徴とする、温水ユニット（１００）。
【請求項６】
請求項１に記載のヒートポンプ装置と、
上記ヒートポンプ装置の運転スケジュールを設定する設定部（１３０ｃ）と
を備え、
上記判定部（１３０ａ）は、上記設定部（１３０ｃ）によって設定された上記運転スケジュールに従って上記ヒートポンプ装置を運転している場合に、上記時間的余裕があると判定することを特徴とする、温水ユニット（１００）。
【発明の詳細な説明】
【技術分野】
【０００１】
本開示は、ヒートポンプ装置、空気調和機、及び温水ユニットに関する。
【背景技術】
【０００２】
従来の空気調和機としては、室外熱交換器の除霜を行う際に、室外温度検出部により検知した室外温度が所定値以上の場合は、圧縮機を停止し、室外ファンを回転させて除霜を行うものがある（特許文献１参照）。
【先行技術文献】
【特許文献】
【０００３】
【特許文献１】特許第５３６３４９２号公報
【発明の概要】
【発明が解決しようとする課題】
【０００４】
上記空気調和機では、圧縮機を停止した状態で室外ファンを回転させて室外熱交換器の除霜（以下、「室外ファン除霜運転」という）を行う場合、圧縮機を稼働させて室外熱交換器の除霜（以下、「通常除霜運転」という）を行う場合と比較して、室外熱交換器の除霜を完了するまでに必要な時間が長い。その結果、ユーザが空調運転を必要とするときに、室外熱交換器の除霜が完了しておらず圧縮機を起動できないことがあり、ユーザの快適性が低下する恐れがある。
【０００５】
本開示は、ユーザの快適性の低下を抑制できるヒートポンプ装置、空気調和機、及び温水ユニットを提案する。
【課題を解決するための手段】
【０００６】
本開示のヒートポンプ装置は、
圧縮機、利用側熱交換器、膨張機構、及び熱源側熱交換器を備える冷媒回路と、
上記熱源側熱交換器に空気を供給する熱源側ファンと、
上記冷媒回路及び上記熱源側ファンを制御する制御装置と
を備え、
上記制御装置は、上記熱源側ファンによる除霜運転を行う時間的余裕があるか否かを判定する判定部を有し、
上記制御装置は、室外温度が基準温度以上である場合、かつ、上記判定部が上記時間的余裕があると判定した場合に、上記圧縮機を停止した状態で上記熱源側ファンを回転させて上記除霜運転を行うように、上記冷媒回路及び上記熱源側ファンを制御することを特徴とする。
【０００７】
本開示によれば、圧縮機が停止した状態で熱源側ファンを回転させて除霜運転を行う時間的余裕があると判定部が判定した場合に、圧縮機を停止した状態で熱願側ファンを回転させて除霜運転を行うため、ユーザがヒートポンプ装置の運転を必要とする時には熱源側熱交換器の除霜を完了できる。このため、ユーザがヒートポンプ装置の運転を必要とすると時にヒートポンプ装置を使用可能であるので、ユーザの快適性の低下を抑制できる。
【０００８】
本開示の空気調和機は、
上記ヒートポンプ装置と、
現在時刻を取得又は生成する時計部と、
開始時刻に上記ヒートポンプ装置の運転を開始するように予約するための予約部と
を備え、
上記判定部は、上記予約部によって上記ヒートポンプ装置の運転が予約されており、上記現在時刻と上記開始時刻との差が所定時間以上である場合に上記時間的余裕があると判定することを特徴とする。
【０００９】
本開示によれば、予約部によって開始時刻が設定され、開始時刻と現在時刻との差が所定時間以上あるとき、圧縮機を停止した状態で熱源側ファンを回転させて除霜運転を実行した場合でも、ユーザによって空気調和機の使用が意図されている開始時刻までの間に熱源側熱交換器の除霜が完了しているものとして、開始時刻にヒートポンプ装置の運転を開始することができるので、ユーザの快適性の低下を抑制できる。
【００１０】
本開示の空気調和機は、
上記ヒートポンプ装置と、
室内温度を検知する室内温度検出部と
を備え、
上記判定部は、空調運転中に上記圧縮機が停止したサーモオフ状態のとき、上記時間的余裕があると判定することを特徴とする。
【００１１】
本開示によれば、サーモオフ状態であれば、次にサーモオンするまでの間は室内環境が快適に保たれているため、ユーザによって空気調和機の運転が要求される可能性が低いので、圧縮機を停止した状態で熱願側ファンを回転させて除霜運転を実行した場合でも、サーモオンするまでの間に熱源側熱交換器の除霜が完了していればユーザの快適性の低下を抑制できる。
【００１２】
本開示の温水ユニットは、
上記ヒートポンプ装置と、
現在時刻を取得又は生成する時計部と
を備え、
上記判定部は、上記時計部によって取得又は生成された上記現在時刻が夜間時間帯である場合に、上記時間的余裕があると判定することを特徴とする。
【００１３】
本開示によれば、夜間時間帯であれば、ヒートポンプ装置を用いた温水の沸き上げに時間的余裕がある場合が多く、圧縮機を停止した状態で熱源側ファンを回転させて熱源側熱交換器の除霜を行っても、ユーザへの給湯には影響が少ないため、ユーザの快適性の低下を抑制できる。
【００１４】
本開示の温水ユニットは、
上記ヒートポンプ装置と、
上記利用側熱交換器によって加熱された温水を貯留する貯湯タンクと
上記貯湯タンク内の貯湯量を検出する貯湯量検出部と
を備え、
上記判定部は、上記貯湯量検出部によって検出された貯湯量が、予め設定された湯切れ判定貯湯量よりも多い場合に、上記時間的余裕があると判定することを特徴とする。
【００１５】
本開示によれば、貯湯タンクの貯湯量が湯切れ判定貯湯量よりも多いので、圧縮機を停止した状態で熱源側ファンを回転させて熱源側熱交換器の除霜を行っても、ユーザへの給湯には影響が少ないため、ユーザの快適性の低下を抑制できる。
【００１６】
本開示の温水ユニットは、
上記ヒートポンプ装置と、
上記ヒートポンプ装置の運転スケジュールを設定する設定部と
を備え、
上記判定部は、上記設定部によって設定された上記運転スケジュールに従って上記ヒートポンプ装置を運転している場合に、上記時間的余裕があると判定することを特徴とする。
【００１７】
本開示によれば、設定部によって設定された運転スケジュールに従ってヒートポンプ装置が運転されているとき、このヒートポンプ装置の運転はユーザの指示によるものではないので、圧縮機が停止した状態で熱源側ファンを回転させて熱源側熱交換器の除霜を行った場合でも、ユーザへの給湯には影響が少ないため、ユーザの快適性が低下しにくい。
【図面の簡単な説明】
【００１８】
【図１】本開示の第１実施形態に係る空気調和機の構成図である。
【図２】第１実施形態に係る制御装置の制御ブロック図である。
【図３】第１実施形態に係る除霜運転のフローチャートである。
【図４】第１実施形態に係る判定処理のフローチャートである。
【図５】本開示の第２実施形態に係る判定処理のフローチャートである。
【図６】本開示の第３実施形態に係る温水ユニットの構成図である。
【図７】本開示の第３実施形態に係る制御装置の制御ブロック図である。
【図８】本開示の第３実施形態に係る判定処理のフローチャートである。
【図９】本開示の第４実施形態に係る判定処理のフローチャートである。
【図１０】本開示の第５実施形態に係る判定処理のフローチャートである。
【発明を実施するための形態】
【００１９】
以下、本開示の実施形態に係るヒートポンプ装置、空気調和機、及び温水ユニットを添付図面を参照して説明する。
【００２０】
［第１実施形態］
図１は、本開示の第１実施形態に係る空気調和機１の構成図である。本実施形態の空気調和機１は、本開示に係るヒートポンプ装置が適用されたヒートポンプ式空気調和機である。
【００２１】
図１を参照すると、本実施形態の空気調和機１は、室外機１０と、室外機１０に冷媒配管を介して接続された室内機２０とを備える。
【００２２】
室外機１０は、圧縮機１１と、アキュムレータ１２と、室外熱交換器１３と、膨張弁１４と、四路切換弁１５とを備える。
【００２３】
圧縮機１１には、図示しないモータが内蔵されている。圧縮機１１は、上記モータによって駆動されると、圧縮機１１の吸入側の冷媒配管から冷媒を吸入し、圧縮して圧縮機１１の吐出側の冷媒配管に吐出する。圧縮機１１の吸入側の冷媒配管には、アキュムレータ１２が設けられている。また、圧縮機１１は、制御装置３０（図２に示す）の制御に応じて運転周波数を変更可能なように構成されている。
【００２４】
室外熱交換器１３は、冷媒回路を流れる冷媒と室外空気との間で熱交換を行わせる熱交換器である。室外熱交換器１３は、冷房運転時には凝縮器として機能し、暖房運転時には蒸発器として機能する。室外熱交換器１３は、本開示に係る熱源側熱交換器の一例である。
【００２５】
膨張弁１４は、膨張弁１４を通過する冷媒を減圧し、膨張弁１４を通過する冷媒の流量を調整する。膨張弁１４は、室外熱交換器１３と室内機２０とを接続する冷媒配管に設けられている。膨張弁１４は、暖房運転、及び冷房運転において、膨張弁１４の開度を調節することで、室内機２０を流れる冷媒の流量を調節する。また、膨張弁１４は、制御装置３０（図２に示す）の制御によって、開度を調節可能なように構成されている。膨張弁１４は、本開示に係る膨張機構の一例である。
【００２６】
四路切換弁１５は、第１ポート１５ａと、第２ポート１５ｂと、第３ポート１５ｃと、第４ポート１５ｄとを備える。第１ポート１５ａは、圧縮機１１の吐出ポートと接続されており、第２ポート１５ｂは、圧縮機１１の吸入ポートと接続されている。また、第３ポート１５ｃは、室外熱交換器１３と接続されており、第４ポート１５ｄは、室内機２０と接続されている。四路切換弁１５は、暖房運転時には、第１ポート１５ａと第４ポート１５ｄとを連通させ、第２ポート１５ｂと第３ポート１５ｃとを連通させる（図中実線の切換位置）。また。四路切換弁１５は、冷房運転時には、第１ポート１５ａと第３ポート１５ｃとを連通させ、第２ポート１５ｂと第４ポート１５ｄとを連通させる（図中破線の切換位置）。四路切換弁１５は、制御装置３０（図２に示す）の制御によって、図中実線の切換位置と図中破線の切換位置とを切り替え可能なように構成されている。
【００２７】
また、室外機１０は、室外熱交換器１３に室外空気を供給する室外ファン１６と、室外熱交換器１３の温度を検出する室外熱交換器温度センサ１７と、室外空気の温度を検出する室外空気温度センサ１８とを更に備える。室外空気温度センサ１８は、本開示に係る室外温度検出部の一例である。
【００２８】
室外ファン１６は、制御装置３０（図２に示す）の制御に応じて回転数を変更可能なように構成されている。室外ファン１６は、本開示に係る熱源側ファンの一例である。
【００２９】
室内機２０は、室内熱交換器２１と、室内熱交換器２１に室内空気を供給する室内ファン２２と、室内空気の温度を検出する室内空気温度センサ２３とを備える。室内空気温度センサ２３は、室内温度検出部の一例である。
【００３０】
室内熱交換器２１は、冷媒回路を流れる冷媒と室内空気との間で熱交換を行わせる熱交換器である。室内熱交換器２１は、冷房運転時には蒸発器として機能し、暖房運転時には凝縮器として機能する。室内熱交換器２１は、本開示に係る利用側熱交換器の一例である。
【００３１】
圧縮機１１と、アキュムレータ１２と、室外熱交換器１３と、膨張弁１４と、四路切換弁１５と、室内熱交換器２１と、これらを接続する冷媒配管とで冷媒回路を構成している。
【００３２】
本実施形態の空気調和機１は、暖房運転、冷房運転、及び除霜運転を実行可能である。以下、暖房運転時、冷房運転時、及び除霜運転時の空気調和機１の動作を説明する。
【００３３】
（暖房運転時）
室内機２０で暖房運転を行う場合、四路切換弁１５を図１の実線の位置に切り換えて、圧縮機１１の運転を開始する。そして、膨張弁１４を所定の開度に開く。圧縮機１１から吐出した高温高圧のガス冷媒は、室内熱交換器２１において室内ファン２２により供給された室内空気との熱交換により凝縮して液冷媒となる。このとき、室内空気は、室内熱交換器２１でのガス冷媒との熱交換によって暖められて室内に供給される。
【００３４】
次に、室内熱交換器２１からの液冷媒は、膨張弁１４で減圧された後、室外熱交換器１３において室外ファン１６により供給された室外空気との熱交換により蒸発してガス冷媒となり、圧縮機１１の吸入側に戻る。
【００３５】
（冷房運転時）
室内機２０で冷房運転を行う場合、四路切換弁１５を図１の点線の位置に切り換えて、圧縮機１１の運転を開始する。そして、膨張弁１４を所定の開度に開く。圧縮機１１から吐出した高温高圧のガス冷媒は、室外熱交換器１３において室外ファン１６により供給された室外空気との熱交換により凝縮して液冷媒となる。
【００３６】
次に、室外熱交換器１３からの液冷媒は、膨張弁１４で減圧された後、室内熱交換器２１において室内ファン２２により供給された室内空気との熱交換により蒸発してガス冷媒となり、圧縮機１１の吸入側に戻る。このとき、室内空気は、室内熱交換器２１での液冷媒との熱交換によって冷やされて室内に供給される。
【００３７】
（除霜運転時）
本実施形態の空気調和機１は、室外熱交換器１３を除霜する除霜運転として、以下詳述する通常除霜運転と、室外ファン除霜運転とを実行可能である。
【００３８】
通常除霜運転とは、圧縮機１１を運転して行う除霜運転である。本実施形態の空気調和機１は、通常除霜運転として、いわゆる逆サイクル除霜運転を実行する。逆サイクル除霜運転では、四路切換弁１５を図１の点線の位置に切り替えて、圧縮機１１の運転を開始して、膨張弁１４を全開にする。これにより、室外熱交換器１３に付着した霜は、圧縮機１１から吐出した高温高圧のガス冷媒との熱交換によって融解する。
【００３９】
室外ファン除霜運転では、室外空気温度センサ１８によって検出された室外空気の温度が０℃以上である場合に、圧縮機１１を停止した状態で室外ファン１６を駆動する。これにより、室外熱交換器１３に付着した霜は、室外ファン１６により室外熱交換器１３に供給された室外空気との熱交換によって融解する。この室外ファン除霜運転では、圧縮機１１を停止しているので、圧縮機１１を運転する逆サイクル除霜運転と比較して、室外熱交換器１３の除霜に必要な消費電力が低い。
【００４０】
図２は、本実施形態に係る空気調和機１の制御ブロック図である。
【００４１】
図２を参照すると、空気調和機１（図１に示す）は、マイクロコンピュータ及び入出力回路などからなる制御装置３０を備える。制御装置３０は、圧縮機１１、膨張弁１４、四路切換弁１５、室外ファン１６、及び室内ファン２２を制御する。また、制御装置３０は、室外熱交換器温度センサ１７、室外空気温度センサ１８、及び室内空気温度センサ２３からの検出信号、並びに、リモートコントローラ３１からの指令信号を受信する。
【００４２】
制御装置３０は、室外ファン除霜運転を実行する時間的余裕があるかどうかを判定する判定部３０ａと、現在時刻ｔを生成する時計部３０ｂと、開始時刻ｔｓに空気調和機１（図１に示す）のヒートポンプ装置の運転を開始するように予約するための予約部３０ｃとを備える。時間的余裕があるとは、室外ファン除霜運転による室外熱交換器１３の除霜に必要な時間が、次に空気調和機１の圧縮機１１が起動するまでの時間よりも短いことをいう。言い換えれば、時間的余裕があるとは、室外ファン除霜運転を実行した場合であっても、次に空気調和機１が起動するまでに、室外熱交換器１３の除霜を完了できることをいう。
【００４３】
本実施形態では、予約部３０ｃは、リモートコントローラ３１から受信した指令信号によって開始時刻ｔｓを設定する。ここで、開始時刻ｔｓとは、例えば、ユーザによって設定された設定時刻に室内空気の温度が設定温度になるように、設定時刻より前に空調運転を所定時間行う場合の上記設定時刻である。
【００４４】
以下、図２から図４を参照して、本実施形態の除霜運転時に制御装置３０が行う除霜運転制御を説明する。
【００４５】
図３は、制御装置３０が行う除霜運転制御を説明するフローチャートである。この除霜運転制御は、室外熱交換器１３への着霜が検出されたときに開始する。具体的には、制御装置３０は、室外熱交換器温度センサ１７によって検出された室外熱交換器１３の温度Ｔ１と、除霜開始温度との大小関係を判定し、室外熱交換器１３の温度Ｔ１が上記除霜開始温度よりも低いと判定したときに除霜運転制御を開始する。本実施形態では、上記除霜開始温度は、外気温度（具体的には、室外空気温度センサ１８によって検出された室外空気の温度Ｔ２）よりも７℃低い温度である。例えば、室外空気温度センサ１８によって検出された室外空気の温度Ｔ２が２℃のとき、上記除霜開始温度は、−５℃である。
【００４６】
まず、除霜運転制御が開始すると、制御装置３０は、室外空気温度センサ１８によって検出された室外空気の温度Ｔ２と基準温度Ｔｓとの大小関係を判定する（ステップＳ１）。基準温度Ｔｓとは、室外ファン除霜運転を実行可能な室外空気の温度である。言い換えれば、室外熱交換器１３に付着した霜を、室外ファン１６により室外熱交換器１３に供給された室外空気が融解できるような室外空気の温度である。基準温度Ｔｓは、０℃以上であれば好ましいが、０℃程度であればよい。例えば、霜に含まれた不純物に起因して、霜の融点が０℃より低くなることがあるので、基準温度Ｔｓは、厳密に０℃以上でなくてもよい。
【００４７】
ステップＳ１において室外空気の温度Ｔ２が基準温度Ｔｓ以上であると判定された場合、制御装置３０は、判定部３０ａが室外ファン除霜運転をする時間的な余裕があるか否かを判定する判定処理を実行する（ステップＳ２）。
【００４８】
その後、制御装置３０は、判定処理での判定結果が、室外ファン除霜運転を行う時間的な余裕があることを示すか否かを判定する（ステップＳ３）。
【００４９】
ステップＳ３において、判定処理での判定結果が、室外ファン除霜運転を行う時間的余裕があることを示すと判定された場合、室外ファン除霜運転制御を実行する（ステップＳ４）。室外ファン除霜運転制御とは、空気調和機１が室外ファン除霜運転を実行するように、制御装置３０が冷媒回路及び室外熱交換器１３を制御することをいう。
【００５０】
次に、制御装置３０は、除霜開始からの経過時間ｔｅと所定時間ｔｆ（例えば、１０分）との大小関係を判定する（ステップＳ５）。
【００５１】
ステップＳ５において、除霜開始からの経過時間ｔｅが所定時間ｔｆを超えると判定された場合、室外ファン除霜運転制御を終了する。
【００５２】
ステップＳ５において、除霜開始からの経過時間ｔｅが所定時間ｔｆ以下であると判定された場合、室外ファン除霜運転制御を継続して実行するとともに、ステップＳ１に戻り、ステップＳ１〜Ｓ５を繰り返す。言い換えれば、制御装置３０は、ステップＳ５において除霜開始からの経過時間ｔｅが所定時間ｔｆを超えると判定されるまで、室外ファン除霜運転を継続するように空気調和機１を制御する。
【００５３】
また、ステップＳ１において室外空気の温度Ｔ２が基準温度Ｔｓ未満であると判定された場合、又はステップＳ３において判定処理での判定結果が、室外ファン除霜運転を行う時間的な余裕があることを示さないと判定された場合、通常除霜運転制御を実行する（ステップＳ６）。通常除霜運転制御とは、空気調和機１が通常除霜運転を実行するように、制御装置３０が冷媒回路及び室外熱交換器１３を制御することをいう。
【００５４】
次に、制御装置３０は、室外熱交換器１３の温度Ｔ１と除霜終了温度Ｔｄｆ（例えば、５℃）との大小関係を判定する（ステップＳ７）。
【００５５】
ステップＳ７において、室外熱交換器１３の温度Ｔ１が除霜終了温度Ｔｄｆを超えると判定された場合、通常除霜運転制御を終了する。
【００５６】
ステップＳ７において、室外熱交換器１３の温度Ｔ１が除霜終了温度Ｔｄｆ以下であると判定された場合、通常除霜運転制御を継続して実行するとともに、ステップＳ１に戻り、ステップＳ１，Ｓ６，Ｓ７を繰り返す。言い換えれば、制御装置３０は、ステップＳ７において、室外熱交換器１３の温度Ｔ１が除霜終了温度Ｔｄｆを超えると判定されるまで通常除霜運転を継続するように空気調和機１を制御する。
【００５７】
本実施形態の除霜運転制御では、室外ファン除霜運転制御中に制御装置３０がリモートコントローラ３１からの運転開始指示を受信した場合、制御装置３０は、通常除霜運転を実行するように冷媒回路及び室外熱交換器１３を制御する。また、室外ファン除霜運転制御中に室外空気の温度Ｔ２が基準温度Ｔｓ未満になった場合、通常除霜運転制御を実行する。
【００５８】
（判定処理）
図４は、本実施形態に係る判定処理を説明するフローチャートである。本実施形態の判定部３０ａは、時計部３０ｂで生成した現在時刻ｔと、予約部３０ｃによって設定された開始時刻ｔｓとの差が所定時間ｔｒ以上であれば、室外ファン除霜運転を実行する時間的余裕があると判定する。ここで、所定時間ｔｒは、例えば、１０分である。この所定時間ｔｒは、例えば、除霜運転の制御を開始するときに室外熱交換器１３によって検出された室外空気の温度Ｔ２に応じて変更されてもよい。
【００５９】
図４を参照すると、本実施形態の判定処理が開始すると、制御装置３０の判定部３０ａは、予約部３０ｃによって開始時刻ｔｓが設定されているか否かを判定する（ステップＳ３１）。
【００６０】
ステップＳ３１において開始時刻ｔｓが設定されていると判定された場合、時計部３０ｂは、現在時刻ｔを生成する（ステップＳ３２）。
【００６１】
その後、制御装置３０の判定部３０ａは、予約部３０ｃによって設定された開始時刻ｔｓと、時計部３０ｂによって生成された現在時刻ｔとから猶予時間ｔｇを算出する（ステップＳ３３）。猶予時間ｔｇは、現在時刻ｔから開始時刻ｔｓまでの時間である。
【００６２】
次に、制御装置３０の判定部３０ａは、猶予時間ｔｇと所定時間ｔｒとの大小関係を判定する（ステップＳ３４）。
【００６３】
ステップＳ３４において、猶予時間ｔｇが所定時間ｔｒ以上であると判定された場合、制御装置３０の判定部３０ａは、室外ファン除霜運転を実行する時間的余裕があると判定する（ステップＳ３５）。言い換えれば、予約部３０ｃによって設定された開始時刻ｔｓと時計部３０ｂによって生成された現在時刻ｔとの差が所定時間ｔｒ以上である場合に、制御装置３０の判定部３０ａは、室外ファン除霜運転を実行する時間的余裕があると判定する。その後、制御装置３０の判定部３０ａは、判定処理を終了する。
【００６４】
また、ステップＳ３１において、開始時刻ｔｓが設定されていないと判定された場合、又はステップＳ３４において猶予時間ｔｇが所定時間ｔｒ未満であると判定された場合には、制御装置３０の判定部３０ａは、室外ファン除霜運転を実行する時間的余裕がないと判定する（ステップＳ３６）。その後、制御装置３０の判定部３０ａは、判定処理を終了する。
【００６５】
上記実施形態によれば、判定部３０ａが室外ファン除霜運転を実行する時間的余裕があると判定した場合に室外ファン除霜運転を実行するため、ユーザが空気調和機１の運転を必要する時には室外熱交換器１３の除霜を完了できる。このため、室外ファン除霜運転を実行した場合であっても、ユーザが空気調和機１の運転を必要とする時に空気調和機１が使用可能であるので、ユーザの快適性の低下を抑制できる。
【００６６】
予約部３０ｃによって開始時刻ｔｓが設定され、開始時刻ｔｓと現在時刻ｔとの差が所定時間ｔｒ以上あるとき、室外ファン除霜運転を実行した場合でも、ユーザによって空気調和機１の使用が意図されている開始時刻ｔｓまでの間に室外熱交換器１３の除霜が完了しているものとして、開始時刻ｔｓに空気調和機１を起動できるのでユーザの快適性の低下を抑制できる。これにより、ユーザの快適性の低下を抑制しつつ、室外熱交換器１３の除霜に必要な消費電力を低減できる。
【００６７】
本実施形態では、時計部３０ｂは、現在時刻ｔを生成したが、これに限定されず、図示しない管理サーバなどから現在時刻ｔを取得してもよい。
【００６８】
本実施形態では、通常除霜運転として逆サイクル除霜運転を行ったが、正サイクル除霜運転を行ってもよい。正サイクル除霜運転時では、四路切換弁１５を図１の破線の位置に切り替えて、圧縮機１１の運転を開始して、膨張弁１４を全開にする。これにより、室外熱交換器１３に付着した霜は、圧縮機１１から吐出した高温高圧のガス冷媒との熱交換によって融解する。
【００６９】
［第２実施形態］
第２実施形態では、室外ファン除霜運転を実行する時間的余裕があるか否かを判定するために判定部３０ａが実行する判定処理を除いて第１実施形態と同様であり、図１〜３を援用する。
【００７０】
本実施形態の制御装置３０の判定部３０ａは、空調運転中に圧縮機１１が停止したサーモオフ状態であるときに室外ファン除霜運転を実行する時間的余裕があると判定する。
【００７１】
（判定処理）
図５は、本実施形態に係る判定処理を説明するフローチャートである。以下、図５を参照して、本実施形態の制御装置３０の判定部３０ａが実行する判定処理について説明する。
【００７２】
判定処理が開始されると、判定部３０ａは、空調運転中に圧縮機１１が停止したサーモオフ状態であるか否かを判定する（ステップＳ１３１）。ここで、圧縮機１１は、暖房運転時には、室内空気温度センサ２３によって検出された室内空気の温度が予め設定された設定温度よりも高くなったときに停止して、空気調和機１は、サーモオフ状態になる。本実施形態では、上記設定温度は、リモートコントローラ３１からの指令信号によって設定される。
【００７３】
ステップＳ１３１において、サーモオフ状態であると判定された場合、制御装置３０の判定部３０ａは、室外ファン除霜運転を実行する時間的余裕があると判定する（ステップＳ１３２）。その後、制御装置３０の判定部３０ａは、判定処理を終了する。
【００７４】
また、ステップＳ１３１において、サーモオフ状態でないと判定された場合、制御装置３０の判定部３０ａは、室外ファン除霜運転を実行する時間的余裕がないと判定する（ステップＳ１３３）。その後、制御装置３０の判定部３０ａは、判定処理を終了する。
【００７５】
その後、図３に示すように、制御装置３０は、ステップＳ２での判定処理での判定結果に基づいて、室外ファン除霜運転制御又は通常除霜運転制御を行うように冷媒回路及び室外熱交換器１３を制御する。
【００７６】
本実施形態の除霜運転制御では、室外ファン除霜運転制御中に、室内空気温度センサ２３によって検出された室内空気の温度が予め設定された設定温度よりも低くなった場合には、制御装置３０は、通常除霜運転制御を実行する。
【００７７】
上記実施形態によれば、上記第１実施形態と同様の作用効果を奏する。
【００７８】
上記実施形態によれば、サーモオフ状態であれば、次にサーモオンするまでの間は室内環境が快適に保たれているため、ユーザによって空気調和機１の運転が要求される可能性が低いので、室外ファン除霜運転を実行した場合でも、サーモオンするまでの間に室外熱交換器１３の除霜が完了していればユーザの快適性の低下を抑制できる。これにより、ユーザの快適性を損なうことを抑制しつつ、室外熱交換器１３の除霜に必要な消費電力を低減できる。
【００７９】
上記第１実施形態及び上記第２実施形態では、通常除霜運転制御の終了判定を、室外熱交換器の温度Ｔ１に基づいて行ったが、これに限定されず、圧縮機１１の吐出温度に基づいて行ってもよい。
【００８０】
［第３実施形態］
図６は、第３実施形態に係る温水ユニットの構成図である。本実施形態の温水ユニット１００は、本開示に係るヒートポンプ装置が適用されたヒートポンプ式給湯器である。
【００８１】
本実施形態の温水ユニット１００は、室外機１１０と、貯湯ユニット１２０とを備える。
【００８２】
室外機１１０は、圧縮機１１１と、アキュムレータ１１２と、空気熱交換器１１３と、膨張弁１１４と、四路切換弁１１５とを備える。
【００８３】
圧縮機１１１には、図示しないモータが内蔵されている。圧縮機１１１は、上記モータによって駆動されると、圧縮機１１１の吸入側の冷媒配管から冷媒を吸入し、圧縮して圧縮機１１１の吐出側の冷媒配管に吐出する。圧縮機１１１の吸入側の冷媒配管には、アキュムレータ１１２が設けられている。また、圧縮機１１１は、制御装置１３０（図７に示す）の制御に応じて運転周波数を変更可能なように構成されている。
【００８４】
空気熱交換器１１３は、冷媒回路を流れる冷媒と室外空気との間で熱交換を行わせる熱交換器である。空気熱交換器１１３は、沸き上げ運転時には蒸発器として機能する。空気熱交換器１１３は、本開示に係る熱源側熱交換器の一例である。
【００８５】
膨張弁１１４は、膨張弁１１４を通過する冷媒を減圧し、膨張弁１１４を通過する冷媒の流量を調整する。膨張弁１１４は、空気熱交換器１１３と貯湯ユニット１２０とを接続する冷媒配管に設けられている。膨張弁１１４は、沸き上げ運転及び除霜運転において、膨張弁１１４の開度を調節することで、貯湯ユニット１２０を流れる冷媒の流量を調節する。また、膨張弁１１４は、制御装置１３０（図７に示す）の制御によって、開度を調節可能なように構成されている。膨張弁１１４は、本開示に係る膨張機構の一例である。
【００８６】
四路切換弁１１５は、第１ポート１１５ａと、第２ポート１１５ｂと、第３ポート１１５ｃと、第４ポート１１５ｄとを備える。第１ポート１１５ａは、圧縮機１１１の吐出ポートと接続されており、第２ポート１１５ｂは、圧縮機１１１の吸入ポートと接続されている。また、第３ポート１１５ｃは、空気熱交換器１１３と接続されており、第４ポート１１５ｄは、貯湯ユニット１２０とそれぞれ接続されている。四路切換弁１１５は、沸き上げ運転時には、第１ポート１１５ａと第４ポート１１５ｄとを連通させ、第２ポート１１５ｂと第３ポート１１５ｃとを連通させる（図中実線の切換位置）。また。四路切換弁１１５は、以下で説明する通常除霜運転（逆サイクル除霜運転）時には、第１ポート１１５ａと第３ポート１１５ｃとを連通させ、第２ポート１１５ｂと第４ポート１１５ｄとを連通させる（図中破線の切換位置）。四路切換弁１１５は、制御装置１３０（図７に示す）の制御によって、図中実線の切換位置と図中破線の切換位置とを切り替え可能なように構成されている。
【００８７】
また、室外機１１０は、空気熱交換器１１３に室外空気を供給する室外ファン１１６と、空気熱交換器１１３の温度を検出する空気熱交換器温度センサ１１７と、室外空気の温度を検出する室外空気温度センサ１１８とを更に備える。室外空気温度センサ１８は、本開示に係る室外温度検出部の一例である。
【００８８】
室外ファン１１６は、制御装置１３０（図７に示す）の制御に応じて回転数を変更可能なように構成されている。室外ファン１１６は、本開示に係る熱源側ファンの一例である。
【００８９】
貯湯ユニット１２０は、貯湯タンク１２１と、貯湯タンク１２１に貯留される温水を生成する水熱交換器１２２とを備える。
【００９０】
貯湯タンク１２１の底部には、給水源１４０に接続された給水配管ＷＰ１から分岐した一方の入水配管ＷＰ１ａが接続されている。これにより、温水ユニット１００は、給水源１４０の市水（水道水）を、入水配管ＷＰ１ａを介して貯湯タンク１２１に導入できるようになっている。
【００９１】
貯湯タンク１２１の底部には、循環配管ＣＰ１の一端が接続されている。この循環配管ＣＰ１の他端は、水熱交換器１２２の水通路１２２ａの一端に接続されている。循環配管ＣＰ１には、貯湯タンク１２１の下部に貯留された水を水熱交換器１２２の水通路１２２ａに供給する循環ポンプ１２３が設けられている。
【００９２】
貯湯タンク１２１の頂部には、循環配管ＣＰ２の一端が接続されている。この循環配管ＣＰ２の他端は、水熱交換器１２２の水通路１２２ａの他端に接続されている。これにより、循環配管ＣＰ２は、水熱交換器１２２の水通路１２２ａを介して、循環配管ＣＰ１と連通している。
【００９３】
また、貯湯タンク１２１の頂部には、給湯配管ＷＰ２の一端が接続されている。この給湯配管ＷＰ２の他端は、給湯端末１４１が接続されている。給湯配管ＷＰ２には、混合弁１４２が設けられている。混合弁１４２には、給水配管ＷＰ１から分岐した他方の入水配管ＷＰ１ｂが接続されている。これにより、貯湯タンク１２１の頂部から出湯された温水を、給水源１４０から供給される水と混合して、給湯端末１４１において、所望の温度の温水を供給可能になっている。
【００９４】
また、貯湯タンク１２１には、貯湯量Ａを検知するための貯湯量検出部１２４が設けられている。貯湯量検出部１２４は、貯湯タンク１２１の上側から下側に向かって順に設けられた第１温度センサ１２４ａ、第２温度センサ１２４ｂ、第３温度センサ１２４ｃ、第４温度センサ１２４ｄ、及び第５温度センサ１２４ｅを有する。
【００９５】
第１温度センサ１２４ａ、第２温度センサ１２４ｂ、第３温度センサ１２４ｃ、第４温度センサ１２４ｄ、及び第５温度センサ１２４ｅは、それぞれが設けられた高さ位置での温度を検出する。第１温度センサ１２４ａ、第２温度センサ１２４ｂ、第３温度センサ１２４ｃ、第４温度センサ１２４ｄ、及び第５温度センサ１２４ｅのそれぞれが設けられた高さ位置で検出される温度が目標給湯温度Ｔｈよりも高いときに、その高さ位置に温水があることを示す。
【００９６】
具体的には、第１温度センサ１２４ａで検出される温度が目標給湯温度Ｔｈ（例えば４５℃）以下である場合には、貯湯量Ａはほとんどない状態であり、第５温度センサ１２４ｅが目標給湯温度Ｔｈよりも高い場合には、貯湯量Ａはほぼ満タンの状態である。ここで、本実施形態では、第２温度センサ１２４ｂで検出される温度Ｔ３が目標給湯温度Ｔｈのときの貯湯量Ａを湯切れ判定貯湯量Ａｓとする。すなわち、第２温度センサ１２４ｂで検出される温度Ｔ３が目標給湯温度Ｔｈより高いとき、貯湯量Ａは湯切れ判定貯湯量Ａｓよりも多く、第２温度センサ１２４ｂで検出される温度Ｔ３が目標給湯温度Ｔｈ以下のとき、貯湯量Ａは、湯切れ判定貯湯量Ａｓよりも少なく、湯切れしているとする。
【００９７】
水熱交換器１２２は、冷媒回路を流れる冷媒と循環ポンプ１２３により水熱交換器１２２に供給された水との間で熱交換を行わせる熱交換器である。水熱交換器１２２は、沸き上げ運転時には凝縮器として機能する。具体的には、圧縮機１１１からの高温の冷媒が水熱交換器１２２の冷媒通路１２２ｂを通過し、水熱交換器１２２の水通路１２２ａ内の水と熱交換する。これにより、貯湯タンク１２１からの水が水熱交換器１２２で温水になる。水熱交換器１２２は、本開示に係る利用側熱交換器の一例である。
【００９８】
本実施形態では、圧縮機１１１と、アキュムレータ１１２と、四路切換弁１１５と、空気熱交換器１１３と、膨張弁１１４と、水熱交換器１２２の冷媒通路１２２ｂと、これらを接続する冷媒配管とで冷媒回路を構成している。
【００９９】
本実施形態の温水ユニット１００は、沸き上げ運転及び除霜運転を実行可能である。以下、沸き上げ運転時及び除霜運転時の空気調和機１の動作を説明する。
【０１００】
（沸き上げ運転時）
温水ユニット１００で沸き上げ運転を行う場合、四路切換弁１１５を図１の実線の位置に切り換えて、圧縮機１１１の運転を開始する。そして、膨張弁１１４を所定の開度に開く。圧縮機１１１から吐出した高温高圧のガス冷媒は、水熱交換器１２２において循環ポンプ１２３によって供給された水との熱交換により凝縮して液冷媒となる。このとき、水熱交換器１２２で循環ポンプ１２３によって供給された水は、水熱交換器１２２でのガス冷媒との熱交換によって暖められて貯湯タンク１２１の頂部に供給される。
【０１０１】
次に、水熱交換器１２２からの液冷媒は、膨張弁１１４で減圧された後、空気熱交換器１１３で室外ファン１１６により供給された室外空気との熱交換により蒸発してガス冷媒となり、圧縮機１１１の吸入側に戻る。
【０１０２】
（除霜運転時）
本実施形態の温水ユニット１００は、空気熱交換器１１３の除霜運転として、以下詳述する通常除霜運転と、室外ファン除霜運転とを実行可能である。
【０１０３】
通常除霜運転とは、圧縮機１１を運転して行う除霜運転である。本実施形態の温水ユニット１００は、通常除霜運転として、いわゆる逆サイクル除霜運転を実行する。逆サイクル除霜運転では、四路切換弁１１５を図１の点線の位置に切り替えて、圧縮機１１１の運転を開始して、膨張弁１１４を全開にする。これにより、空気熱交換器１１３に付着した霜は、圧縮機１１１から吐出した高温高圧のガス冷媒との熱交換によって融解する。
【０１０４】
室外ファン除霜運転では、室外空気温度センサ１１８によって検出された室外空気の温度が０℃以上である場合に、圧縮機１１１を停止した状態で室外ファン１１６を駆動する。これにより、空気熱交換器１１３に付着した霜は、室外ファン１１６により空気熱交換器１１３に供給された室外空気との熱交換によって融解する。この室外ファン除霜運転では、圧縮機１１１を停止しているので、圧縮機１１１を運転する逆サイクル除霜運転と比較して、空気熱交換器１１３の除霜に必要な消費電力が低い。
【０１０５】
図７は、本実施形態に係る温水ユニット１００の制御ブロック図である。
【０１０６】
図７を参照すると、温水ユニット１００（図１に示す）は、マイクロコンピュータ及び入出力回路などからなる制御装置１３０を備える。制御装置１３０は、圧縮機１１１、膨張弁１１４、四路切換弁１１５、室外ファン１１６、及び循環ポンプ１２３を制御する。また、制御装置１３０は、空気熱交換器温度センサ１１７、室外空気温度センサ１１８、及び貯湯量検出部１２４からの検出信号、並びに、リモートコントローラ１３１からの指令信号を受信する。
【０１０７】
制御装置１３０は、室外ファン除霜運転を実行する時間的余裕があるかどうかを判定する判定部１３０ａと、現在時刻ｔを生成する時計部１３０ｂと、沸き上げ運転の運転スケジュールを設定する設定部１３０ｃとを備える。
【０１０８】
本実施形態の設定部１３０ｃは、貯湯量検出部１２４によって検出された貯湯量や給湯量の実績などから沸き上げ運転の運転スケジュールを設定する。設定部１３０ｃは、図示しない管理サーバなどから運転スケジュールを受信して沸き上げ運転の運転スケジュールを設定してもよい。
【０１０９】
以下、本実施形態の制御装置１３０が行う除霜運転制御を説明する。また、第３実施形態では、室外ファン除霜運転を実行する時間的余裕があるか否かを判定するために判定部１３０ａが実行する判定処理を除いて第１実施形態と同様であり、図３を援用する。
【０１１０】
本実施形態の制御装置１３０の判定部１３０ａは、時計部１３０ｂが生成した現在時刻ｔが夜間時間帯である場合に室外ファン除霜運転を実行する時間的余裕があると判定する。
【０１１１】
（判定処理）
図８は、本実施形態に係る判定処理を説明するフローチャートである。以下、図６から図８を参照して、本実施形態の制御装置１３０の判定部１３０ａが実行する判定処理について説明する。
【０１１２】
判定処理が開始されると、時計部１３０ｂは、現在時刻ｔを生成する（ステップＳ２３１）。
【０１１３】
次に、制御装置１３０の判定部１３０ａは、現在時刻ｔが夜間時間帯であるか否かを判定する（ステップＳ２３２）。本実施形態における夜間時間帯とは、電力会社によって設定された時間帯であり、例えば、午後１１時から翌日の午前７時までの時間帯である。
【０１１４】
ステップＳ２３２において、現在時刻ｔが夜間時間帯であると判定された場合、制御装置１３０の判定部１３０ａは、室外ファン除霜運転を実行する時間的余裕があると判定する（ステップＳ２３３）。その後、制御装置１３０の判定部１３０ａは、判定処理を終了する。
【０１１５】
また、ステップＳ２３２において、現在時刻ｔが夜間時間帯でないと判定された場合、制御装置１３０の判定部１３０ａは、室外ファン除霜運転を実行する時間的余裕がないと判定する（ステップＳ２３４）。その後、制御装置１３０の判定部１３０ａは、判定処理を終了する。
【０１１６】
その後、図３に示すように、制御装置１３０は、ステップＳ２での判定処理での判定結果に基づいて、室外ファン除霜運転制御又は通常除霜運転制御を行う。
【０１１７】
本実施形態では、室外ファン除霜運転制御中に、現在時刻ｔが昼間時間帯になった場合には、制御装置１３０は、通常除霜運転制御を実行する。
【０１１８】
本実施形態では、時計部１３０ｂは、現在時刻ｔを生成したが、これに限定されず、図示しない管理サーバなどから現在時刻ｔを取得してもよい。
【０１１９】
上記実施形態によれば、上記第１実施形態と同様の作用効果を奏する。
【０１２０】
上記実施形態によれば、夜間時間帯であれば、沸き上げ運転に時間的余裕がある場合が多く、室外ファン除霜運転を行っても、ユーザへの給湯には影響が少ないため、ユーザの快適性の低下を抑制できる。このため、ユーザの快適性の低下を抑制しつつ、空気熱交換器１１３の除霜に必要な消費電力を低減できる。
【０１２１】
［第４実施形態］
第４実施形態では、室外ファン除霜運転を実行する時間的余裕があるか否かを判定するために判定部１３０ａが実行する判定処理を除いて第３実施形態と同様であり、図３，図６，図７を援用する。
【０１２２】
本実施形態の制御装置１３０の判定部１３０ａは、湯切れしていない場合に室外ファン除霜運転を実行する時間的余裕があると判定する。言い換えれば、貯湯量検出部１２４で検出した貯湯量Ａが予め設定された湯切れ判定貯湯量Ａｓよりも多い場合に室外ファン除霜運転を実行する時間的余裕があると判定する。
【０１２３】
（判定処理）
図９は、本実施形態に係る判定処理のフローチャートである。以下、図３，図６，図７，及び図９を参照して、本実施形態の制御装置１３０の判定部１３０ａが実行する判定処理について説明する。
【０１２４】
判定処理が開始されると、制御装置１３０の判定部１３０ａは、湯切れしているか否かを判定する。本実施形態では、前述したように、貯湯タンク１２１に取り付けられた第２温度センサ１２４ｂが検出した温度Ｔ３が目標給湯温度Ｔｈ以下である場合に湯切れしているという。すなわち、図９に示すように、貯湯タンク１２１に取り付けられた第２温度センサ１２４ｂが検出した温度Ｔ３と、目標給湯温度Ｔｈ（本実施形態では４５℃）との大小関係を判定する（ステップＳ３３１）。
【０１２５】
ステップＳ３３１において、湯切れしていないと判定された場合、制御装置１３０の判定部１３０ａは、室外ファン除霜運転を実行する時間的余裕があると判定する（ステップＳ３３２）。すなわち、ステップＳ３３２では、ステップＳ３３１において第２温度センサ１２４ｂが検出した温度Ｔ３が目標給湯温度Ｔｈより高いと判定された場合、制御装置１３０の判定部１３０ａは、室外ファン除霜運転を実行する時間的余裕があると判定する。その後、制御装置１３０の判定部１３０ａは、判定処理を終了する。
【０１２６】
また、ステップＳ３３１において、湯切れしていると判定された場合、制御装置１３０の判定部１３０ａは、室外ファン除霜運転を実行する時間的余裕がないと判定する（ステップＳ３３３）。すなわち、ステップＳ３３３では、ステップＳ３３１において第２温度センサ１２４ｂが検出した温度Ｔ３が目標給湯温度Ｔｈ以下であると判定された場合、制御装置１３０の判定部１３０ａは、室外ファン除霜運転を実行する時間的余裕がないと判定する。その後、制御装置１３０の判定部１３０ａは、判定処理を終了する。
【０１２７】
その後、図３に示すように、制御装置１３０は、ステップＳ２での判定処理での判定結果に基づいて、室外ファン除霜運転制御又は通常除霜運転制御を行う。
【０１２８】
また、本実施形態の除霜運転制御では、室外ファン除霜運転制御中に、湯切れした場合には、制御装置１３０は、通常除霜運転制御を実行する。言い換えれば、第２温度センサ１２４ｂが検出した温度Ｔ３が目標給湯温度Ｔｈ以下になった場合、制御装置１３０は、通常除霜運転制御を実行する。
【０１２９】
上記実施形態によれば、上記第１実施形態と同様の作用効果を奏する。
【０１３０】
上記実施形態によれば、貯湯タンク１２１の貯湯量が湯切れ判定貯湯量Ａｓよりも多いので、室外ファン除霜運転を実行した場合でも、ユーザへの給湯には影響が少ないため、ユーザの快適性の低下を抑制できる。このため、ユーザの快適性の低下を抑制しつつ、空気熱交換器１１３の除霜に必要な消費電力を低減できる。
【０１３１】
本実施形態では、第２温度センサ１２４ｂで検出される温度Ｔ３が目標給湯温度Ｔｈのときの貯湯量Ａを湯切れ判定貯湯量Ａｓとしたが、湯切れ判定貯湯量Ａｓは、第３温度センサ１２４ｃの温度が目標給湯温度Ｔｈのときの貯湯量Ａであってもよい。同様に湯切れ判定貯湯量Ａｓは、第４温度センサ１２４ｄの温度が目標給湯温度Ｔｈのときの貯湯量Ａであってもよく、第５温度センサ１２４ｅの温度が目標給湯温度Ｔｈのときの貯湯量Ａであってもよい。すなわち、湯切れ判定貯湯量Ａｓは、湯切れしたときの実際の貯湯量Ａよりも多くてもよい。
【０１３２】
［第５実施形態］
第５実施形態では、室外ファン除霜運転を実行する時間的余裕があるか否かを判定するために判定部１３０ａが実行する判定処理を除いて第３実施形態と同様であり、図３，図６，図７を援用する。
【０１３３】
本実施形態の制御装置１３０の判定部１３０ａは、設定部１３０ｃによって設定された運転スケジュールに従って沸き上げ運転を行っている場合に室外ファン除霜運転を実行する時間的余裕があると判定する。
【０１３４】
（判定処理）
図１０は、本実施形態に係る判定処理のフローチャートである。以下、図３，図６，図７，及び図１０を参照して、本実施形態の制御装置１３０の判定部１３０ａが実行する判定処理について説明する。
【０１３５】
判定処理が開始されると、制御装置１３０の判定部１３０ａは、温水ユニット１００がスケジュール運転中であるか否かを判定する（ステップＳ４３１）。
【０１３６】
ステップＳ４３１において、スケジュール運転中であると判定された場合、制御装置１３０の判定部１３０ａは、室外ファン除霜運転を実行する時間的余裕があると判定する（ステップＳ４３２）。その後、制御装置１３０の判定部１３０ａは、判定処理を終了する。
【０１３７】
また、ステップＳ４３１において、スケジュール運転中でないと判定された場合、制御装置１３０の判定部１３０ａは、室外ファン除霜運転を実行する時間的余裕がないと判定する（ステップＳ４３３）。その後、制御装置１３０の判定部１３０ａは、判定処理を終了する。
【０１３８】
その後、図３に示すように、制御装置１３０は、ステップＳ２での判定処理での判定結果に基づいて、室外ファン除霜運転制御又は通常除霜運転制御を行う。
【０１３９】
また、本実施形態の除霜運転制御では、室外ファン除霜運転制御中に、ユーザから沸き上げ運転の指示を受けた場合には、制御装置１３０は、通常除霜運転制御を実行する。
【０１４０】
上記実施形態によれば、上記第３実施形態と同様の作用効果を奏する。
【０１４１】
上記実施形態によれば、設定部１３０ｃによって設定された運転スケジュールに従って沸き上げ運転されているとき、この沸き上げ運転はユーザの指示によるものではないので、室外ファン除霜運転を実行した場合でも、ユーザへの給湯には影響が少ないため、ユーザの快適性の低下を抑制できる。このため、ユーザの快適性の低下を抑制しつつ、空気熱交換器１１３の除霜に必要な消費電力を低減できる。
【０１４２】
以上、実施形態を説明したが、特許請求の趣旨及び範囲から逸脱することなく、形態や詳細の多様な変更が可能なことが理解されるであろう。
【０１４３】
例えば、第１実施形態及び第２実施形態では、空気調和機１の室外機１０が室外空気温度センサ１８を備え、制御装置３０が室外空気温度センサ１８からの検出信号を受信するようになっていたが、これに限定されない。制御装置３０は、室外空気の温度を検出する他の装置の出力を用いてもよい。室外空気温度センサは後付けでもよい。
【０１４４】
また、第３実施形態では、温水ユニット１００の室外機１１０が室外空気温度センサ１１８を備え、制御装置１３０が室外空気温度センサ１１８からの検出信号を受信するようになっていたが、これに限定されない。制御装置１３０は、室外空気の温度を検出する他の装置の出力を用いてもよい。室外空気温度センサは後付けでもよい。
【符号の説明】
【０１４５】
１…空気調和機
１０…室外機
１１…圧縮機
１２…アキュムレータ
１３…室外熱交換器
１４…膨張弁
１５…四路切換弁
１５ａ…第１ポート
１５ｂ…第２ポート
１５ｃ…第３ポート
１５ｄ…第４ポート
１６…室外ファン
１７…室外熱交換器温度センサ
１８…室外空気温度センサ
２０…室内機
２１…室内熱交換器
２２…室内ファン
２３…室内空気温度センサ
３０…制御装置
３０ａ…判定部
３０ｂ…時計部
３０ｃ…予約部
３１…リモートコントローラ
１００…温水ユニット
１１０…室外機
１１１…圧縮機
１１２…アキュムレータ
１１３…空気熱交換器
１１４…膨張弁
１１５…四路切換弁
１１５ａ…第１ポート
１１５ｂ…第２ポート
１１５ｃ…第３ポート
１１５ｄ…第４ポート
１１６…室外ファン
１１７…空気熱交換器温度センサ
１１８…室外空気温度センサ
１２０…貯湯ユニット
１２１…貯湯タンク
１２２…水熱交換器
１２３…循環ポンプ
１２４…貯湯量検出部
１２４ａ…第１温度センサ
１２４ｂ…第２温度センサ
１２４ｃ…第３温度センサ
１２４ｄ…第４温度センサ
１２４ｅ…第５温度センサ
１３０…制御装置
１３０ａ…判定部
１３０ｂ…時計部
１３０ｃ…設定部
１３１…リモートコントローラ
【図１】
2020085317.tif 000003
【図２】
2020085317.tif 000004
【図３】
2020085317.tif 000005
【図４】
2020085317.tif 000006
【図５】
2020085317.tif 000007
【図６】
2020085317.tif 000008
【図７】
2020085317.tif 000009
【図８】
2020085317.tif 000010
【図９】
2020085317.tif 000011
【図１０】
2020085317.tif 000012